(57)【要約】【課題】  実装スペースの拡大、コスト増加を抑制しつつ多方向の撮影を可能にする。【解決手段】カメラ付き携帯端末装置の多方向撮影システムに、携帯端末装置100の筐体内で、被写体200からの光の結像を行うレンズ111と、結像した光を受けディジタル電気信号に変換する受光部112と、レンズと受光部を載せて携帯端末装置の縦軸を回転軸として回転する回転台１１３とを有するカメラユニット110と、携帯端末装置の正面側、背面側で光の透過、非透過を行う正面側液晶パネル121、背面側液晶パネル122と、受光部からのディジタル電気信号を画像処理する画像処理部１１５と、キーボード151からの指示に基づき正面側又は背面側にレンズを向けるように回転台の回転を制御し、正面側液晶パネル及び背面側液晶パネルのうちレンズが向く側を透過にしレンズが向く反対側を非透過にする液晶制御部123、カメラ制御部114とを備える。【選択図】図２
2005275126.tif 000002
【特許請求の範囲】
【請求項１】
カメラ付き携帯端末装置の多方向撮影システムにおいて、
前記携帯端末装置の筐体内で、被写体からの光の結像を行うレンズと、結像した光を受けディジタル電気信号に変換する受光部と、前記レンズと前記受光部を載せて前記携帯端末装置の縦軸を回転軸として回転する回転台とを有するカメラユニットと、
前記携帯端末装置の正面側に位置し前記カメラユニットに対して光の透過、非透過を行う正面側液晶パネルと、
前記携帯端末装置の背面側に位置し前記カメラユニットに対して光の透過、非透過を行う背面側液晶パネルと、
前記カメラユニットのレンズが前記携帯端末装置の正面側に位置する場合、前記正面側液晶パネルを透過にし前記背面側液晶パネルを非透過にし、前記カメラユニットのレンズが前記携帯端末装置の背面側に位置する場合、前記背面側液晶パネルを透過にし前記正面側液晶パネルを非透過にする液晶制御部と、
前記カメラユニットの受光部からのディジタル電気信号を画像処理する画像処理部と、
前記携帯端末装置の正面側に位置し、前記画像処理部で処理された画像を表示する正面側ディスプレイと、
前記携帯端末装置のキーボードからの指示に基づき前記携帯端末装置の正面側又は背面側に前記カメラユニットのレンズを向けるように回転台の回転を制御し、前記正面側液晶パネル及び前記背面側液晶パネルのうち前記レンズが向く側を透過にし前記レンズが向く反対側を非透過にするように前記液晶制御部を制御するカメラ制御部とを備えることを特徴とするカメラ付き携帯端末装置の多方向撮影システム。
【請求項２】
前記カメラ制御部は、前記携帯端末装置のキーボードから前記カメラユニットを連続右回転又は連続左回転するように指示がある場合には、前記回転台を連続右回転又は連続左回転するように制御することを特徴とする、請求項１に記載のカメラ付き携帯端末装置の多方向撮影システム。
【請求項３】
前記カメラ制御部は、前記カメラユニットがシャッタースピードを調整する機能を有し、前記携帯端末装置のキーボードからパノラマ撮影の指示がある場合、前記カメラユニットの回転台を回転させ、前記カメラユニットに対してシャッタースピードを遅くさせることを特徴とする、請求項１に記載のカメラ付き携帯端末装置の多方向撮影システム。
【請求項４】
前記カメラ制御部は、前記カメラユニット、前記画像処理部が動画撮影を行う機能を有している場合、前記携帯端末装置のキーボードから動画撮影の指示がある場合、前記カメラユニットを回転させながら動画撮影をさせることを特徴とする、請求項１に記載のカメラ付き携帯端末装置の多方向撮影システム。
【請求項５】
前記液晶制御部は、前記カメラユニットの未使用時には前記正面側液晶パネル、前記背面側液晶パネルの双方を非透過とすることを特徴とする、カメラ付き携帯端末装置の多方向撮影システム。
【請求項６】
前記カメラユニットが前記携帯端末装置の左右端の一方端の側に位置する場合、前記携帯端末装置の左右端の一方端に位置し、前記カメラユニットに対して光の透過、非透過を行う側面側液晶パネルをさらに設け、前記カメラユニットのレンズが前記側面側液晶パネルに向く位置にある場合には前記側面側液晶パネルは透過になり、前記カメラユニットのレンズが前記側面側液晶パネルに向く位置にない場合には前記側面側液晶パネルは非透過になることを特徴とする、請求項１に記載のカメラ付き携帯端末装置の多方向撮影システム。
【請求項７】
前記携帯端末装置の上部に突出部分を設け、前記カメラユニットを前記突出部分の筐体内に設け、前記突出部で前記携帯端末装置の正面側、背面側、左側面側、右側面側に前記カメラユニットに対して光の透過、非透過を行う正面側液晶パネル、背面側液晶パネル、左側面側液晶パネル、右側面側液晶パネルを設け、前記液晶制御部は前記正面側液晶パネル、前記背面側液晶パネル、前記左側面側液晶パネル、前記右側面側液晶パネルのうち前記カメラユニットのレンズが向く位置にあるものが透過になり、前記カメラユニットのレンズが向く位置にないものが非透過となるように制御を行うことを特徴とする、請求項１に記載のカメラ付き携帯端末装置の多方向撮影システム。
【請求項８】
前記携帯端末装置が折畳式携帯電話機で上側部と下側部に折り畳まれる場合にはアンテナを下側部に設けることを特徴とする、請求項７に記載のカメラ付き携帯端末装置の多方向撮影システム。
【請求項９】
前記カメラユニットの回転台には前記携帯電話機の側面に沿う横軸を回転軸としてさらに設け、前記カメラ制御部は、前記キーボードからの上向き又は下向きの回転指示に対して、前記カメラユニットを回転させ、前記レンズを前記正面側液晶パネル又は前記背面側液晶パネルに対して下向き又は上向きにすることを特徴とする、請求項１に記載のカメラ付き携帯端末装置の多方向撮影システム。
【請求項１０】
前記正面側液晶パネルの側に第１の補助レンズを追加し前記レンズに重ね、さらに、前記背面側液晶パネルの側に第２の補助レンズを追加し前記レンズに重ね、前記第１の補助レンズ及び前記第２の補助レンズのうち一方が近距離にピントがあるレンズであり、他方が遠距離にピントが合うレンズであることを特徴とする、請求項１に記載のカメラ付き携帯端末装置の多方向撮影システム。
【請求項１１】
カメラ付き携帯端末装置の多方向撮影方法において、
前記携帯端末装置の正面側又は背面側の任意の撮影方向から前記携帯端末装置の筐体内に光を取り込む工程と、
前記携帯端末装置の筐体内で、前記携帯端末装置の正面側又は背面側の任意の撮影方向から取り込んだ光の結像を行う工程と、
結像した光を受けディジタル電気信号に変換する工程と、
ディジタル信号を画像処理する工程と、
画像処理した画像を前記携帯端末装置の正面側に表示させる工程とを備えることを特徴とするカメラ付き携帯端末装置の多方向撮影方法。
【発明の詳細な説明】
【技術分野】
【０００１】
本発明は携帯電話機を含むカメラ付き携帯端末装置に関する。特に、本発明は、多方向の撮影を可能にするカメラ付き携帯端末装置の多方向撮影システム及び方法に関する。
【背景技術】
【０００２】
近年、携帯電話機にはカメラ機能が内蔵され、一般的には液晶表示部と反対側の背面側にカメラが設けられている。
この場合、携帯電話機に内蔵されたカメラ機能で撮影者自身を撮影する際には、携帯電話機本体を１８０度回転させて背面側のカメラを撮影者自身に向けて撮影する必要があり、携帯電話機本体の回転が煩わしいという問題がある。この場合、背面側にも被写体を確認できるようにようにするには、鏡、サブディスプレイ等のファインダーを実装する必要があるという問題がある。
【０００３】
この問題を回避するため、液晶表示部と同じ側の正面側にカメラを追加し、１台の携帯電話機に２台のカメラを実装する必要があった。このように、２台のカメラの切替で携帯電話機を回転せずに、正面側と背面側の２方向の撮影が可能になる。
しかしながら、前述のように、カメラを追加実装することは実装スペースの拡大、コスト増加を招来するという問題がある。
【０００４】
このため、本発明では、１台のカメラで正面側と背面側の２方向の撮影を可能にしたいという課題がある。
さらに、撮影方向を変えるのに、携帯電話機を持っている撮影者が向きを変えたり、携帯電話機を持っている手の向きを変えるのが煩わしい場合があり、携帯電話機を持っている手の向きを変えて撮影方向を変えると、表示されている画面が撮影者の正面に向かず傾くので画面が見にくくなるという問題がある。
【０００５】
このため、１台のカメラで正面側と背面側の２方向の撮影を可能するだけでなく、携帯電話機の向きを変えずに任意の撮影方向すなわち多方向の撮影を可能にしたいという課題がある。
上記問題、課題に関連して、１台のカメラで正面側と背面側の２方向の撮影を可能する従来技術としては、以下のようなものがある。
【０００６】
従来、光学ズームによる変倍機構を備えるとともに、撮影方向によらず撮影が簡便に行えるカメラ付き携帯電話を提供するため、操作部の側面に設けられたアンテナ部内に撮影レンズと、複数枚のズームレンズを備えた光学ズームによる変倍機構と、撮像素子を並設し、液晶モニタ部とヒンジ部の間には回動可能な回転板を設けて、液晶モニタ部をヒンジ部に対して０度から３６０度の角度で回動することができ、摩擦機能によって所望の角度でフリーストップできるようにするものがある（例えば、特許文献１参照）。
【０００７】
上記特許文献１では、１台のカメラに対して液晶モニタ部を回動し、液晶モニタ部に撮影結果を表示するようにしているが、液晶モニタ部を回動するのは、前述と同様に、煩わしいという問題がある。
また、従来、ビデオカメラおよびテレビ電話機として使用可能なビデオカメラ付き携帯電話機において、画像の上下反転処理を不要にするため、ビデオカメラ付き携帯電話機をハンズフリーの携帯型テレビ電話機として使用する場合には、カメラ・レシーバユニットを、ビデオカメラ部の正面を本体の正面側に向けた状態にし、ビデオカメラとして使用する際には、カメラ・レシーバユニットを１８０度回転させてビデオカメラ部の正面を本体の裏面側に向け、携帯型テレビ電話機として使用する時とビデオカメラとして使用する時とでビデオカメラの上下関係と変化しないため、画像信号の上下反転処理は不要であるものがある（例えば、特許文献２参照）。
【０００８】
上記特許文献２では、ビデオカメラを携帯電話機の外部に回転構造を形成することは、携帯電話機の構造が複雑になるという問題があり、撮影方向が正面側と裏面側の２方向に固定されているので携帯電話機の向きを変えずに任意の撮影方向で多方向の撮影を可能にしたいという本発明の課題を解決できない。
また、従来、撮影用のカメラを備えた携帯電話機等において、小型化、簡略化等を図りつつ、撮影画像を表示部で確認できるようにするため、情報を表示し得る表示部と、光学ユニット及び撮像素子を含むカメラ部と、筐体とを備えた携帯情報端末機において、筐体の表側に第１レンズ及び裏側に第２レンズを設け、両者の間に反射ミラーを回動自在に設け、反射ミラーの向きを切り替えることで、表側と裏側とで撮影方向を切り替え得るようにし、これにより、筐体の表側、裏側のいずれ側にある被写体を撮影する場合でも、表示部にて撮影画像を確認することができ、また、反射ミラーの採用により、光学ユニット及び撮像素子等を筐体の内部に配置でき、外部との衝突、破損等を防止できるものがある（例えば、特許文献３参照）。
【０００９】
上記特許文献３では、携帯情報端末機の筐体内部に反射ミラーを回動にして表側と裏側の撮影方向を切り替えるので反射ミラーという導光部材を設置するスペースが必要であるという問題があり、さらに、撮影方向が表側と裏側の２方向に固定されているので携帯情報端末機の向きを変えずに任意の撮影方向で多方向の撮影を可能にしたいという本発明の課題を解決できない。
【００１０】
また、従来、複数の撮影方向を持ったカメラ付き携帯電話において、動向手段を動かさずに撮影方向を切り替えるため、電子カメラが設けられた筐体において、画像を表示する表示手段が配置されているに面に配置された第１の撮影窓と、その裏面に配置された第２の撮影窓と、筐体に固定され第１の撮影窓から電子カメラに至る第１の光路と第２の撮影窓から電子カメラに至る第２の光路を併せて形成する導光手段とを備え、第１の撮影窓および第２の撮影窓からの入力光のうち、どちらか一方を遮ることにより他方の撮影窓からの入力光を電子カメラに結像させるようにするものがある（例えば、特許文献４参照）。
【００１１】
上記特許文献４では、携帯電話の筐体に固定され第１の撮影窓から電子カメラに至る第１の光路と第２の撮影窓から電子カメラに至る第２の光路を併せて形成するプリズムで形成される導光手段を設置するスペースが必要であるという問題があり、さらに、第１の撮影窓および第２の撮影窓からの入力光のうち、どちらか一方を遮ることにより他方の撮影窓からの入力光を電子カメラに結像させるので撮影方向が２方向に固定されているため携帯電話の向きを変えずに任意の撮影方向で多方向の撮影を可能にしたいという本発明の課題を解決できない。
【００１２】
また、従来の携帯情報端末、携帯電話機等の携帯端末でカメラを内蔵したものは、カメラの向きを変更可能とした場合、レンズ、撮像素子が設けられた可動するマウント内から本体筐体内へケーブル配線を引き出す必要があったり、レンズの切換可動するマウントを大型にする必要があったりして、構造が複雑となり、安定した被写体の画像の撮影をすることができなかったため、マウント部はカメラ付き携帯端末の筐体に回転可能に取り付けられており、内部に、レンズを介して入射された被写体の画像を筐体内へ出射する導光手段が設けられており、マウント部は、このマウント部内から撮像素子が取り付けられた筐体内へ向けて出射する被写体の画像の出射方向を中心軸に回転可能に取り付けられる構成としたものがある（例えば、特許文献５参照）。
【００１３】
上記特許文献５では、携帯端末の筐体に回転可能に取り付けられたマウント部には内部にレンズが設置され、被写体の画像を導光する導光手段が設けられるので、携帯端末機の向きを変えずに任意の撮影方向で多方向の撮影が可能であるが、携帯端末の外部に回転構造を形成することは携帯端末の構造が複雑になるという問題があり、さらに、導光手段を設置するスペースが必要であるという問題がある。
【００１４】
すなわち、一般的に携帯電話機はその携帯するという目的から小型化、軽量化が求められているので、小型化、軽量化を保ちながら様々な状況に対応するカメラを内蔵するということは困難であるといえる。
【００１５】
【特許文献１】特開２００３−３０９６３２号公報
【特許文献２】特開２００１−２４５２６７号公報
【特許文献３】特開２００３−０９１０４１号公報
【特許文献４】特開２００１−２２３９２４号公報
【特許文献５】特開２００３−２１９２３２号公報
【発明の開示】
【発明が解決しようとする課題】
【００１６】
したがって、本発明は上記問題、課題に鑑みて、カメラ付き携帯端末装置の実装スペースの拡大、コスト増加を抑制しつつ、多方向の撮影を可能にするカメラ付き携帯端末装置の多方向撮影システム及び方法を提供することを目的とする。
【課題を解決するための手段】
【００１７】
本発明は前記問題点を解決するために、カメラ付き携帯端末装置の多方向撮影システムにおいて、前記携帯端末装置の筐体内で、被写体からの光の結像を行うレンズと、結像した光を受けディジタル電気信号に変換する受光部と、前記レンズと前記受光部を載せて前記携帯端末装置の縦軸を回転軸として回転する回転台とを有するカメラユニットと、前記携帯端末装置の正面側に位置し前記カメラユニットに対して光の透過、非透過を行う正面側液晶パネルと、前記携帯端末装置の背面側に位置し前記カメラユニットに対して光の透過、非透過を行う背面側液晶パネルと、前記カメラユニットのレンズが前記携帯端末装置の正面側に位置する場合、前記正面側液晶パネルを透過にし前記背面側液晶パネルを非透過にし、前記カメラユニットのレンズが前記携帯端末装置の背面側に位置する場合、前記背面側液晶パネルを透過にし前記正面側液晶パネルを非透過にする液晶制御部と、前記カメラユニットの受光部からのディジタル電気信号を画像処理する画像処理部と、前記携帯端末装置の正面側に位置し、前記画像処理部で処理された画像を表示する正面側ディスプレイと、前記携帯端末装置のキーボードからの指示に基づき前記携帯端末装置の正面側又は背面側に前記カメラユニットのレンズを向けるように回転台の回転を制御し、前記正面側液晶パネル及び前記背面側液晶パネルのうち前記レンズが向く側を透過にし前記レンズが向く反対側を非透過にするように前記液晶制御部を制御するカメラ制御部とを備えることを特徴とするカメラ付き携帯端末装置の多方向撮影システムを提供する。
【００１８】
さらに、前記カメラ制御部は、前記携帯端末装置のキーボードから前記カメラユニットを連続右回転又は連続左回転するように指示がある場合には、前記回転台を連続右回転又は連続左回転するように制御する。
さらに、前記カメラ制御部は、前記カメラユニットがシャッタースピードを調整する機能を有し、前記携帯端末装置のキーボードからパノラマ撮影の指示がある場合、前記カメラユニットの回転台を回転させ、前記カメラユニットに対してシャッタースピードを遅くさせる。
【００１９】
さらに、前記カメラ制御部は、前記カメラユニット、前記画像処理部が動画撮影を行う機能を有している場合、前記携帯端末装置のキーボードから動画撮影の指示がある場合、前記カメラユニットを回転させながら動画撮影をさせる。
さらに、前記液晶制御部は、前記カメラユニットの未使用時には前記正面側液晶パネル、前記背面側液晶パネルの双方を非透過とする。
【００２０】
さらに、前記カメラユニットが前記携帯端末装置の左右端の一方端の側に位置する場合、前記携帯端末装置の左右端の一方端に位置し、前記カメラユニットに対して光の透過、非透過を行う側面側液晶パネルをさらに設け、前記カメラユニットのレンズが前記側面側液晶パネルに向く位置にある場合には前記側面側液晶パネルは透過になり、前記カメラユニットのレンズが前記側面側液晶パネルに向く位置にない場合には前記側面側液晶パネルは非透過になる。
【００２１】
さらに、前記携帯端末装置の上部に突出部分を設け、前記カメラユニットを前記突出部分の筐体内に設け、前記突出部で前記携帯端末装置の正面側、背面側、左側面側、右側面側に前記カメラユニットに対して光の透過、非透過を行う正面側液晶パネル、背面側液晶パネル、左側面側液晶パネル、右側面側液晶パネルを設け、前記液晶制御部は前記正面側液晶パネル、前記背面側液晶パネル、前記左側面側液晶パネル、前記右側面側液晶パネルのうち前記カメラユニットのレンズが向く位置にあるものが透過になり、前記カメラユニットのレンズが向く位置にないものが非透過となるように制御を行う。
さらに、前記携帯端末装置が折畳式携帯電話機で上側部と下側部に折り畳まれる場合にはアンテナを下側部に設ける。
【００２２】
さらに、前記カメラユニットの回転台には前記携帯電話機の側面に沿う横軸を回転軸としてさらに設け、前記カメラ制御部は、前記キーボードからの上向き又は下向きの回転指示に対して、前記カメラユニットを回転させ、前記レンズを前記正面側液晶パネル又は前記背面側液晶パネルに対して下向き又は上向きにする。
さらに、前記正面側液晶パネルの側に第１の補助レンズを追加し前記レンズに重ね、さらに、前記背面側液晶パネルの側に第２の補助レンズを追加し前記レンズに重ね、前記第１の補助レンズ及び前記第２の補助レンズのうち一方が近距離にピントがあるレンズであり、他方が遠距離にピントが合うレンズである。
【００２３】
さらに、本発明は、カメラ付き携帯端末装置の多方向撮影方法において、前記携帯端末装置の正面側又は背面側の任意の撮影方向から前記携帯端末装置の筐体内に光を取り込む工程と、前記携帯端末装置の筐体内で、前記携帯端末装置の正面側又は背面側の任意の撮影方向から取り込んだ光の結像を行う工程と、結像した光を受けディジタル電気信号に変換する工程と、ディジタル信号を画像処理する工程と、画像処理した画像を前記携帯端末装置の正面側に表示させる工程とを備えることを特徴とするカメラ付き携帯端末装置の多方向撮影方法を提供する。
【発明の効果】
【００２４】
以上説明したように、本発明によれば、１台のカメラで背面側、正面側のどちらでも撮影が可能であり、２台のカメラ実装する例と比較すると、省スペース、低コストが同時に実現できるという効果がある。
また、撮影時のファインダーとして、被写体が携帯電話機の背面側、正面側のどちらにあっても、正面側ディスプレイを使用するため、１台のカメラで携帯電話機本体を１８０度回転させて撮影する例と比較して、背面側にサブディスプレイ、鏡当を実装する必要がなく、大きなメインディスプレイである正面側ディスプレイで被写体を確認できるという効果がある。
【００２５】
また、携帯電話機の筐体内にレンズ、受光部、回転台を設けているので、前述した特許文献５に記載のように、携帯電話機の筐体外に回転機構を設けないので、構造が複雑にならないという効果がある。
また、反射ミラー、プリズム等の導光手段を使用しないので、さらに省スペース、低コストが同時に実現できるという効果がある。
【００２６】
さらに、カメラユニットの回転機構を利用して多方向撮影が可能になり携帯電話機の向きを変えず、固定したまま広範囲の撮影が可能となる。
さらに、広範囲のパノラマ撮影の実現が可能となり、簡易な監視カメラといった用途にも使用可能となる。
さらに、補助レンズを用いることにより、１台のカメラで２つの焦点の撮影を実現することが可能になる。
【発明を実施するための最良の形態】
【００２７】
以下、本発明の実施の形態について図面を参照して説明する。
図１は本発明に係るカメラ付き携帯電話機の多方向撮影システムの概略外観を示す正面／背面図である。
携帯端末装置の一例として、携帯電話機について説明を行う。本図に示すように、携帯電話機１００は上側部１０１と下側部１０２からなる。本図（ａ）に示すように、携帯電話機１００の正面の下側部１０２には主としてキーボード１５１が配置され、キーボード１５１は携帯電話機１００を操作する機能を有する。
【００２８】
携帯電話機１００の正面の上側部１０１には正面側ディスプレイ１３１が設けられ、正面側ディスプレイ１３１は種々の情報、後述するカメラユニット１１０で撮影される画像を表示する機能を有する。
正面側ディスプレイ１３１の上側部１０１で携帯電話機１００の筐体内部にはカメラユニット１１０が配置され、カメラユニット１１０は回転機構を有する１台のカメラである。
【００２９】
携帯電話機１００の正面でカメラユニット１１０の位置の筐体には正面カメラ窓１４１が設けられ、正面カメラ窓１４１は被写体からの光を通過させる。
正面カメラ窓１４１には正面側液晶パネル１２１が設けられ、正面側液晶パネル１２１は正面カメラ窓１４１を通過する光を透過、非透過とする機能を有する。
本図（ｂ）に示すように、携帯電話機１００の背面の上側部１０１には背面側ディスプレイ１３２が設けられ、背面側ディスプレイ１３２は正面側ディスプレイ１３１のサブディスプレイで補助に使用され、種々の情報を表示する機能を有する。なお、背面側ディスプレイ１３２は、正面側ディスプレイ１３１よりも表示領域が小さく、正面側ディスプレイ１３１と異なり、カメラユニット１１０で撮影される画像を表示する機能を持たない。
【００３０】
携帯電話機１００の背面でカメラユニット１１０の位置の筐体には背面カメラ窓１４２が設けられ、背面カメラ窓１４２は被写体からの光を通過させる。
背面カメラ窓１４２には背面側液晶パネル１２２が設けられ、背面側液晶パネル１２２は背面カメラ窓１４２を通過する光を透過、非透過とする機能を有する。
図２は図１におけるカメラ付き携帯電話機の多方向撮影システムの概略構造を示す側断面図である。
【００３１】
本図に示すように、カメラユニット１１０はレンズ１１１、受光部１１２、回転台１１３からなる。レンズ１１１は被写体２００からの光を受光部１１２に結像し、受光部１１２は結像された光を電気信号に変換しディジタル化する。回転台１１３はレンズ１１１、受光部１１２を搭載し、携帯電話機１００の縦軸を回転軸として回転し、レンズ１１１を正面側液晶パネル１２１、背面側液晶パネル１２２のどちらにも向けることを可能にする。
【００３２】
本図（ａ）に示すように、被写体２００が携帯電話機１００の正面側にある場合には、カメラユニット１１０が回転してレンズ１１１が被写体２００に向き、すなわち、レンズ１１１が正面側液晶パネル１２１に向く位置にある場合には、正面側液晶パネル１２１が透過になり、背面側液晶パネル１２２が非透過になる。
逆に、本図（ｂ）に示すように、被写体２００が携帯電話機１００の背面側にある場合には、カメラユニット１１０が回転してレンズ１１１が被写体２００に向き、すなわち、レンズ１１１が背面側液晶パネル１２２に向く位置にある場合には、背面側液晶パネル１２２が透過になり、正面側液晶パネル１２１が非透過になる。
【００３３】
図３は図１、図２におけるカメラ付き携帯端末装置の多方向撮影システムの動作を説明する概略構成を示すブロック図である。
本図に示すように、カメラユニット１１０の受光部１１２に画像処理部１１５が接続され、画像処理部１１５は受光部１１２で受けた光が変換されディジタル化された電気信号を画像処理し、正面側ディスプレイ１３１に表示する。
【００３４】
正面側液晶パネル１２１、背面側液晶パネル１２２に液晶制御部１２３が接続され、液晶制御部１２３は正面側液晶パネル１２１、背面側液晶パネル１２２の透過、非透過を制御する。
さらに、カメラ付き携帯端末装置の多方向撮影システムにはカメラ制御部１１４が設けられ、カメラ制御部１１４はカメラユニット１１０の回転台１１３、画像処理部１１５、液晶制御部１２３の制御を行う。
【００３５】
より詳細には、カメラ制御部１１４は、キーボード１５１からカメラユニット１１０の反転指示があると、被写体２００が携帯電話機１００の正面にある場合には、液晶制御部１２３を介して、正面側液晶パネル１２１を透過にし、背面側液晶パネル１２２を非透過にし、カメラユニット１１０の回転台１１３を回転してレンズ１１１を正面側液晶パネル１２１に向ける。これにより、正面側の撮影、すなわち、撮影者自身を被写体２００とする撮影が可能になる。
【００３６】
換言すれば、被写体２００からの光は正面側液晶パネル１２１、レンズ１１１を通過し、受光部１１２にてディジタル化される。受光部１１２で変換されたディジタルの電気信号は画像処理部１１５にて処理され正面側ディスプレイ１３１に表示される。撮影者は正面側ディスプレイ１３１をファインダーとして被写体２００を確認しながら撮影することが可能になる。
【００３７】
同様にして、カメラ制御部１１４は、キーボード１５１からカメラユニット１１０の反転指示があると、被写体２００が携帯電話機１００の背面にある場合には、液晶制御部１２３を介して、背面側液晶パネル１２２を透過にし、正面側液晶パネル１２１を非透過にし、カメラユニット１１０の回転台１１３を回転してレンズ１１１を背面側液晶パネル１２２に向ける。これにより、背面側の撮影、すなわち、携帯電話機１００の周囲を被写体２００とする撮影が可能になる。
【００３８】
換言すれば、被写体２００からの光は背面側液晶パネル１２２、レンズ１１１を通過し、受光部１１２にてディジタル化される。受光部１１２で変換されたディジタルの電気信号は画像処理部１１５にて処理され正面側ディスプレイ１３１に表示される。撮影者は正面側ディスプレイ１３１をファインダーとして被写体２００を確認しながら撮影することが可能になる。
【００３９】
カメラ未使用時には正面側液晶パネル１２１、背面側液晶パネル１２２を非透過とすることで、カメラを隠すカバーの役割を果たすことが可能になる。これにより誤動作を防止することが可能になる。
このようにして、本発明によれば、１台のカメラで背面側、正面側のどちらでも撮影が可能であり、２台のカメラ実装する例と比較すると、省スペース、低コストが同時に実現できるという効果がある。
【００４０】
また、撮影時のファインダーとして、被写体２００が携帯電話機１００の背面側、正面側のどちらにあっても、正面側ディスプレイ１３１を使用するため、１台のカメラで携帯電話機１００本体を１８０度回転させて撮影する例と比較して、背面側にサブディスプレイ、鏡当を実装する必要がなく、大きなメインディスプレイである正面側ディスプレイ１３１で被写体２００を確認できるという効果がある。
【００４１】
また、携帯電話機１００の筐体内にレンズ１１１、受光部１１２、回転台１１３を設けているので、前述した特許文献５に記載のように、携帯電話機１００の筐体外に回転機構を設けないので、構造が複雑にならないという効果がある。
また、反射ミラー、プリズム等の導光手段を使用しないので、さらに省スペース、低コストが同時に実現できるという効果がある。
【００４２】
さらに、カメラユニットの回転機構を利用して多方向撮影が可能になり携帯電話機を固定したまま広範囲の撮影が可能となる。この点については下記にさらに例を挙げて詳細に説明する。
【実施例１】
【００４３】
図４は図３のカメラ制御部１１４による撮影方向の回転調整例を説明するフローチャートである。
本図に示すように、ステップＳ３０１において、カメラ制御部１１４では、キーボード１５１から被写体２００を携帯電話機１００の正面側に設定指示があるか否かを判断し、正面側への設定指示がない場合にはステップＳ３０７に進む。
【００４４】
ステップＳ３０２において、正面側に設定指示がある場合には、カメラ制御部１１４では正面側液晶パネル１２１を透過、背面側液晶パネル１２２を非透過に設定する。
ステップＳ３０３において、カメラ制御部１１４では、キーボード１５１から連続右回転指示があるか否かの判断を行い、連続右回転指示がない場合にはステップＳ３０５に進む。
【００４５】
ステップＳ３０４において、カメラ制御部１１４では、連続右回転指示がある場合には、回転台１１３を連続右回転させ、ステップＳ３０１に戻り、正面側への設定指示の変更の有無、ステップＳ３０３の連続右回転指示の変更の有無を判断し、変更がなければ動作を継続する。
ステップＳ３０５において、カメラ制御部１１４では、キーボード１５１から連続左回転指示があるか否かの判断を行い、連続左回転指示がない場合には処理を終了する。
【００４６】
ステップＳ３０６において、カメラ制御部１１４では、連続左回転指示がある場合には回転台１１３を連続左回転させ、ステップＳ３０１に戻り、正面側への設定指示の変更の有無、ステップＳ３０３の連続右回転指示の変更の有無、ステップＳ３０５の連続左回転指示の変更の有無を判断し、変更がなければ動作を継続する。
ステップＳ３０７において、カメラ制御部１１４では、キーボード１５１から被写体２００を携帯電話機１００の背面側に設定指示があるか否かを判断し、背面側への設定指示がない場合には処理を終了する。
【００４７】
ステップＳ３０８において、背面側に設定指示がある場合には、カメラ制御部１１４では背面側液晶パネル１２２を透過、正面側液晶パネル１２１を非透過に設定し、ステップＳ３０３に進み、キーボード１５１からの連続回転指示を判断し、回転台１１３の連続回転を制御する。
このようにして、被写体２００が正面側又は背面側にあり、撮影方向を変える必要がある場合、携帯電話機１００を回転せず、固定したままで、回転台１１３を回転させて撮影方向を変えることが可能になり、これにより、撮影者に向いた正面側ディスプレイ１３１の画面を正面に固定したまま、すんわち、正面側ディスプレイ１３１の画面を傾けずに、撮影方向が異なる画像が表示されるので、画像が見やすくなる。
【００４８】
換言すれば、撮影方向を変えるために、撮影者によりキーボード１５１の操作が必要であるが、携帯電話機１００を持っている撮影者自身が向きを変えたり、携帯電話機１００を持っている手の向きを変えたりする必要がなくなり、撮影者にとって煩わしさがなくなる。
【実施例２】
【００４９】
さらに、カメラユニット１１０がシャッタースピードを調整する機能を有している場合、キーボード１５１からパノラマ撮影の指示がある場合、カメラ制御部１１４では、カメラユニット１１０を回転させながらシャッタースピードを遅くする。これにより、広範囲のパノラマ撮影の実現が可能となる。
【実施例３】
【００５０】
さらに、カメラユニット１１０、画像処理部１１５が動画撮影を行う機能を有している場合、キーボード１５１から、動画撮影の指示がある場合、カメラ制御部１１４では、カメラユニット１１０を回転させながら動画撮影をする。これにより、簡易な監視カメラといった用途にも使用可能となる。
【実施例４】
【００５１】
図５は図１における第１の変形例であり、本発明に係るカメラ付き携帯電話機の多方向撮影システムの概略外観を示す正面／背面／側面図である。
本図に示すように、図１と比較して、さらに、携帯電話機１００の側面でカメラユニット１１０の位置の筐体には左側面カメラ窓１４３が設けられ、側面カメラ窓１４３は被写体からの光を通過させる。
【００５２】
さらに、側面カメラ窓１４３には側面側液晶パネル１２４が設けられ、左側面液晶パネル１２４は側面カメラ窓１４３を通過する光を透過、非透過する機能を有し、液晶制御部１２３により、カメラユニット１１０のレンズ１１１が側面側液晶パネル１２４に向く位置にある場合に、側面側液晶パネル１２４は透過になり、カメラユニット１１０のレンズ１１１が側面側液晶パネル１２４に向く位置にない場合に、側面側液晶パネル１２４は非透過になるように制御される。
このようにして、撮影方向をさらに広範囲に変化させることが可能になる。
【実施例５】
【００５３】
図６は図１における第２の変形例であり、本発明に係るカメラ付き携帯電話機の多方向撮影システムの概略外観を示す正面／背面／側面図である。
本図に示すように、図１と比較して、カメラユニット１１０が携帯電話機１００の上側部１０１の上部に突出した筐体内に設けられる。カメラユニット１１０の携帯電話機１００の正面側に正面側液晶パネル１２１、背面側に背面側液晶パネル１２２、左側面側に左側面液晶パネル１２５、右側面側に右側面液晶パネル１２６が設けられ、液晶制御部１２３により、正面側液晶パネル１２１、背面側液晶パネル１２２、左側面液晶パネル１２５、右側面液晶パネル１２６の透過、非透過の機能が制御される。
【００５４】
すなわち、カメラユニット１１０のレンズ１１１が左側面液晶パネル１２５に向く位置にある場合には、左側面液晶パネル１２５は透過となり、カメラユニット１１０のレンズ１１１が左側面液晶パネル１２５に向く位置にない場合には、左側面液晶パネル１２５は非透過となり、カメラユニット１１０のレンズ１１１が右側面液晶パネル１２６に向く位置にある場合には、右側面液晶パネル１２６は透過となり、カメラユニット１１０のレンズ１１１が右側面液晶パネル１２６に向く位置にない場合には、右側面液晶パネル１２６は非透過となる。
【００５５】
携帯電話機が上側部１０１と下側部１０２を折り畳む折畳式の場合には、アンテナを下側部１０２に設けるようにし、撮影の邪魔にならないようにする。
このようにして、撮影方向をさらに広範囲に変化させることが可能になる。
【実施例６】
【００５６】
図７は図１における第３の変形例であり、本発明に係るカメラ付き携帯電話機の多方向撮影システムの概略構造を示す側断面図である。
本図に示すように、図１と比較して、さらに、回転台１１３は携帯電話機１００の側面に沿う横軸を回転軸としてカメラユニット１１０を回転させ、カメラ制御部１１４は、キーボード１５１からの上向き又は下向きの回転指示に対して、レンズ１１１を正面側液晶パネル１２１又は背面側液晶パネル１２２に対して、本図（ａ）に示すように、下向きに、本図（ｂ）に示すように、上向きにする制御を行う。
このようにして、撮影方向をさらに広範囲に変化させることが可能になる。
【実施例７】
【００５７】
図８は図１における第４の変形例であり、本発明に係るカメラ付き携帯電話機の多方向撮影システムの概略構造を示す側断面図である。
本図に示すように、図１と比較して、正面側液晶パネル１２１の側に補助レンズ１１６を追加しレンズ１１１に重ね、さらに、背面側液晶パネル１２２の側に補助レンズ１１６と焦点が異なる補助レンズ１１７を追加しレンズ１１１に重ね、携帯電話機１００の正面側と背面側で異なる焦点のカメラを使い分けるようにしてもよい。
【００５８】
例えば、補助レンズ１１６は近距離にピントが合うレンズであり、補助レンズ１１７は遠距離にピントが合うレンズである。このようにして、１台のカメラで２つの焦点の撮影を実現することが可能になる。
【産業上の利用可能性】
【００５９】
以上、携帯電話機について説明を行ったが、ＰＤＡ（携帯情報端末）についても同様に適用可能である。
【図面の簡単な説明】
【００６０】
【図１】本発明に係るカメラ付き携帯電話機の多方向撮影システムの概略外観を示す正面／背面図である。
【図２】図１におけるカメラ付き携帯電話機の多方向撮影システムの概略構造を示す側断面図である。
【図３】図１、図２におけるカメラ付き携帯端末装置の多方向撮影システムの動作を説明する概略構成を示すブロック図である。
【図４】図３のカメラ制御部１１４による撮影方向の回転調整例を説明するフローチャートである。
【図５】図１における第１の変形例であり、本発明に係るカメラ付き携帯電話機の多方向撮影システムの概略外観を示す正面／背面／側面図である。
【図６】図１における第２の変形例であり、本発明に係るカメラ付き携帯電話機の多方向撮影システムの概略外観を示す正面／背面／側面図である。
【図７】図１における第３の変形例であり、本発明に係るカメラ付き携帯電話機の多方向撮影システムの概略構造を示す側断面図である。
【図８】図１における第４の変形例であり、本発明に係るカメラ付き携帯電話機の多方向撮影システムの概略構造を示す側断面図である。
【符号の説明】
【００６１】
１００…携帯電話機
１０１…上側部
１０２…下側部
１１０…カメラユニット
１１１…レンズ
１１６、１１７…補助レンズ
１１２…受光部
１１３…回転台
１１４…カメラ制御部
１１５…画像処理部
１２１…正面側液晶パネル
１２２…背面側液晶パネル
１２３…液晶制御部
１２４…側面側液晶パネル
１２５…左側面液晶パネル
１２６…右側面液晶パネル
１３１…正面側ディスプレイ
１３２…背面側ディスプレイ
１４１…正面カメラ窓
１４２…背面カメラ窓
１４３…側面カメラ窓
１５１…キーボード
２００…被写体
【図１】
2005275126.tif 000003
【図２】
2005275126.tif 000004
【図３】
2005275126.tif 000005
【図４】
2005275126.tif 000006
【図５】
2005275126.tif 000007
【図６】
2005275126.tif 000008
【図７】
2005275126.tif 000009
【図８】
2005275126.tif 000010